(57)【特許請求の範囲】
【請求項１】
空調対象域における主領域に供給する主調整空気を送出する主給気口、及び、前記空調対象域における副領域に供給する副調整空気を送出する副給気口をハウジングに形成し、
前記空調対象域から戻る還気空気又は屋外から取り入れた外気又はそれら還気空気と外気との混合空気を原空気として、その原空気を加熱又は冷却することで前記主調整空気及び前記副調整空気を生成する調温用熱交換器を前記ハウジングに収容してある一体型空調機であって、
前記調温用熱交換器として主熱交換器と副熱交換器とを設け、
前記原空気は前記主熱交換器で加熱又は冷却し、
前記主熱交換器で加熱又は冷却した空気は、前記副熱交換器を通過させずに前記主調整空気として前記主給気口から送出させる主分流空気と、前記副熱交換器に通過させた上で前記副調整空気として前記副給気口から送出させる副分流空気と、に常時分流させる構成にしてある一体型空調機。
【請求項２】
前記副分流空気は常時、複数の前記副熱交換器に対して並列的に分流させた状態で通過させ、
これら複数の副熱交換器を通過させた前記副分流空気の夫々を、複数の前記副領域に対して個別に供給する複数の前記副調整空気として、複数の前記副給気口から個別に送出させる構成にしてある請求項１記載の一体型空調機。
【請求項３】
前記主熱交換器で前記原空気を温熱媒と熱交換させて加熱するとともに、前記副熱交換器で前記副分流空気を温熱媒と熱交換させて加熱する運転モードと、
前記主熱交換器で前記原空気を温熱媒と熱交換させて加熱するのに対し、前記副熱交換器に対する熱媒供給を遮断して前記副熱交換器の熱交換機能を停止する運転モードとの選択的な実施を可能にしてある請求項１又は２記載の一体型空調機。
【請求項４】
前記主熱交換器で前記原空気を温熱媒と熱交換させて加熱するとともに、前記副熱交換器で前記副分流空気を温熱媒と熱交換させて加熱する運転モードの実施を可能にし、
この運転モードでは、温熱媒を前記主熱交換器と前記副熱交換器とに対してその順に直列的に通過させる構成にしてある請求項１〜３のいずれか１項に記載の一体型空調機。
【請求項５】
前記副給気口に、前記副領域の検出域内温度に基づいて前記副給気口からの前記副調整空気の送出風量を調整する副領域用の可変風量装置を設けてある請求項１〜４のいずれか１項に記載の一体型空調機。
【請求項６】
前記ハウジングのうち前記副給気口を形成するとともに前記副熱交換器を収容した副ハウジング部分は、前記主給気口を形成するとともに前記主熱交換器を収容した主ハウジング部分に対して切り離し操作が可能な状態に連結してある請求項１〜５のいずれか１項に記載の一体型空調機。 
【発明の詳細な説明】
【技術分野】
【０００１】
本発明は、空調対象域における主領域に供給する主調整空気を送出する主給気口、及び、前記空調対象域における副領域に供給する副調整空気を送出する副給気口をハウジングに形成し、前記空調対象域から戻る還気空気又は屋外から取り入れた外気又はそれら還気空気と外気との混合空気を原空気として、その原空気を加熱又は冷却することで前記主調整空気及び前記副調整空気を生成する調温用熱交換器を前記ハウジングに収容してある一体型空調機に関し、
特に、インテリア領域とペリメータ領域とに代表されるような空調対象域において空調負荷の変動傾向が互いに異なる主領域と副領域とを同時に空調するのに適した一体型空調機に関する。
【背景技術】
【０００２】
従来、インテリア領域とペリメータ領域とを同時に空調する一体型空調機として図１６に示す空調機が提案されている（特許文献１参照）。
【０００３】
この一体型空調機は、インテリア領域に供給する主調整空気ＳＡを主送風機１２ａにより送出する主給気口５と、ペリメータ領域に供給する副調整空気ＳＡ１を副送風機１２ｂにより送出する副給気口６とを備えている。
【０００４】
また、空調対象域から戻る還気空気ＲＡと屋外から取り入れた外気ＯＡとの混合空気ＭＡを加熱又は冷却して主調整空気ＳＡ及び副調整空気ＳＡ１を生成する調温用熱交換器として、主熱交換器２４と副熱交換器２５とを備えている。
【０００５】
そして、この一体型空調機では、インテリア領域とペリメータ領域とがともに冷房要求状態にあるときは、同図１６に示すように、混合空気ＭＡの全量を主熱交換器２４で冷却して冷風ＣＦを生成し、この生成冷風ＣＦの一部を主調整空気ＳＡとして主給気口５からインテリア領域に供給するのに対し、この生成冷風ＣＦの他部を副調整空気ＳＡ１として副給気口６からペリメータ領域に供給する。
【０００６】
一方、インテリア領域が冷房要求状態であるのに対しペリメータ領域が暖房要求状態であるときには、図１７に示すように、混合空気ＭＡの一部を主熱交換器２４で冷却して冷風ＣＦを生成し、この生成冷風ＣＦを主調整空気ＳＡとして主給気口５からインテリア領域に供給するのに対し、混合空気ＭＡの他部を副熱交換器２５で加熱して温風ＷＦを生成し、この生成温風ＷＦを副調整空気ＳＡ１として副給気口６からペリメータ領域に供給する。
【０００７】
また、インテリア領域とペリメータ領域とがともに暖房要求状態にあるときには、図１８に示すように、混合空気ＭＡの全量を主熱交換器２４で加熱して温風ＷＦを生成し、この生成温風ＷＦの一部を主調整空気ＳＡとして主給気口５からインテリア領域に供給するのに対し、この生成温風ＷＦの他部を副調整空気ＳＡ１として副給気口６からペリメータ領域に供給する。
【先行技術文献】
【特許文献】
【０００８】
【特許文献１】特開平６−２１３４７８号公報
【発明の概要】
【発明が解決しようとする課題】
【０００９】
しかし、上記した一体型空調機では（同図１６〜図１８参照）、原空気とする混合空気ＭＡを主熱交換器２４と副熱交換器２５とに対して分流させるか否かを切り換えるためのダンパ装置Ｄ１、及び、主熱交換器２４で加熱又は冷却して生成した冷風ＣＦや温風ＷＦを主給気口５と副給気口６とに対して分流させるか否かを切り換えるためのダンパ装置Ｄ２が必要となる。
【００１０】
そして、これら切り換え用のダンパ装置Ｄ１，Ｄ２を要することで、また、それらダンパ装置Ｄ１，Ｄ２を制御する付帯的な制御手段も必要になることで、空調機の製作コストが嵩む問題があった。
【００１１】
また、インテリア領域やペリメータ領域において冷暖房要求状態に変化があったとき、それらダンパ装置Ｄ１，Ｄ２の切り換わり動作が原因でインテリア領域やペリメータ領域に対する調整空気ＳＡ，ＳＡ１の供給状態に一時的にせよ乱れが生じ易い問題もあった。
【００１２】
この実情に鑑み、本発明の主たる課題は、合理的な機器構成を採ることで、上記の如き問題を解消する点にある。
【課題を解決するための手段】
【００１３】
本発明の第１特徴構成は一体型空調機に係り、その特徴は、
空調対象域における主領域に供給する主調整空気を送出する主給気口、及び、前記空調対象域における副領域に供給する副調整空気を送出する副給気口をハウジングに形成し、
前記空調対象域から戻る還気空気又は屋外から取り入れた外気又はそれら還気空気と外気との混合空気を原空気として、その原空気を加熱又は冷却することで前記主調整空気及び前記副調整空気を生成する調温用熱交換器を前記ハウジングに収容してある一体型空調機であって、
前記調温用熱交換器として主熱交換器と副熱交換器とを設け、
前記原空気は前記主熱交換器で加熱又は冷却し、
前記主熱交換器で加熱又は冷却した空気は、前記副熱交換器を通過させずに前記主調整空気として前記主給気口から送出させる主分流空気と、前記副熱交換器に通過させた上で前記副調整空気として前記副給気口から送出させる副分流空気と、に常時分流させる構成にしてある点にある。
【００１４】
この構成では、空調対象域における主領域と副領域とがともに冷房要求状態にあるときには（図１０又は図１１参照）、原空気Ａに対し主熱交換器２４を冷却機能させて冷風を生成し、この生成冷風が、副熱交換器２５を通過せずに主調整空気ＳＡとして主給気口５から送出される主分流空気Ａａと、副熱交換器２５を通過した上で副調整空気ＳＡ１として副給気口６から送出される副分流空気Ａｂと、に分流されることに対して、副熱交換器２５を副分流空気Ａｂに対し冷却機能させるか、あるいは、副熱交換器２５の熱交換機能を停止させるようにすれば、主給気口５及び副給気口６の双方から冷風を送出させることができ、これにより、主領域及び副領域夫々の冷房要求状態に対して同時に対応することができる。
【００１５】
一方、主領域が冷房要求状態であるのに対し副領域が暖房要求状態にあるときには（図１２参照）、原空気Ａに対し主熱交換器２４を冷却機能させて冷風を生成し、この生成冷風が、副熱交換器２５を通過せずに主調整空気ＳＡとして主給気口５から送出される主分流空気Ａａと、副熱交換器２５を通過した上で副調整空気ＳＡ１として副給気口６から送出される副分流空気Ａｂと、に分流されることに対して、副熱交換器２５を副分流空気Ａｂに対し加熱機能させるようにすれば、主給気口５から冷風を送出させるのに伴い、副給気口６から温風を送出させることができ、これにより、主領域の冷房要求状態と副領域の暖房要求状態との双方に対して同時に対応することができる。
【００１６】
また、主領域と副領域とがともに暖房要求状態にあるときには（図１３又は図１４参照）、原空気Ａに対し主熱交換器２４を加熱機能させて温風を生成し、この生成温風が、副熱交換器２５を通過せずに主調整空気ＳＡとして主給気口５から送出される主分流空気Ａａと、副熱交換器２５を通過した上で副調整空気ＳＡ１として副給気口６から送出される副分流空気Ａｂと、に分流されることに対して、副熱交換器２５を副分流空気Ａｂに対し加熱機能させるか、あるいは、副熱交換器２５の熱交換機能を停止させるようにすれば、主給気口５及び副給気口６の双方から温風を送出させることができ、これにより、主領域及び副領域夫々の暖房要求状態に対して同時に対応することができる。
【００１７】
さらに、主領域が暖房要求状態であるのに対し副領域が冷房要求状態にあるときには（図１５参照）、原空気Ａに対し主熱交換器２４を加熱機能させて温風を生成し、この生成温風が、副熱交換器２５を通過せずに主調整空気ＳＡとして主給気口５から送出される主分流空気Ａａと、副熱交換器２５を通過した上で副調整空気ＳＡ１として副給気口６から送出される副分流空気Ａｂと、に分流されることに対して、副熱交換器２５を副分流空気Ａｂに対し冷却機能させるようにすれば、主給気口５から温風を送出させるのに伴い、副給気口６から冷風を送出させることができ、これにより、主領域の暖房要求状態と副領域の冷房要求状態との双方に対して同時に対応することができる。
【００１８】
そして、この構成によれば、主熱交換器２４で加熱又は冷却した空気を常時、副熱交換器２５を通過させずに主調整空気ＳＡとして主給気口５から送出させる主分流空気Ａａと、副熱交換器２５を通過させた上で副調整空気ＳＡ１として副給気口６から送出させる副分流空気Ａｂと、に分流させるから、原空気Ａを主熱交換器２４と副熱交換器２５とに対して分流させるか否かを切り換えるためのダンパ装置や、主熱交換器２４で加熱又は冷却した空気を主給気口５と副給気口６とに対して分流させるか否かを切り換えるためのダンパ装置を不要にすることができ、これにより、それら切り換え用のダンパ装置を要する先述の如き従来の一体型空調機に比べ、空調機の製作を容易にするとともに、その製作コストを効果的に低減することができる。
【００１９】
また、それらダンパ装置の切り換わり動作が原因で主領域や副領域に対する調整空気ＳＡ，ＳＡ１の供給状態に乱れが生じ易いといったことも、それらダンパ装置の不要化により効果的に回避することができ、これにより、主領域及び副領域に対して調整空気ＳＡ，ＳＡ１を常に円滑かつ安定的に供給することができて、その点で空調性能も高めることができる。
【００２０】
なお、この第１特徴構成の実施において、主領域が暖房要求状態であるのに対し副領域が冷房要求状態になるといった状況が稀にしか生じないなどの理由で、そのような状況に対する対応（図１５）が不要な場合は、副熱交換器２５を副分流空気Ａｂに対する加熱専用の熱交換器にしてもよい。
【００２１】
また、その場合、主領域と副領域とがともに冷房要求状態にあるときには、主熱交換器２４を原空気Ａに対して冷却機能させるのに対し、副熱交換器２５は熱交換機能を停止させる形態（図１１）を採る。
【００２２】
本発明の第２特徴構成は、第１特徴構成の実施に好適な実施形態を特定するものであり、その特徴は、
前記副分流空気は常時、複数の前記副熱交換器に対して並列的に分流させた状態で通過させ、
これら複数の副熱交換器を通過させた前記副分流空気の夫々を、複数の前記副領域に対して個別に供給する複数の前記副調整空気として、複数の前記副給気口から個別に送出させる構成にしてある点にある。
【００２３】
この構成によれば、主領域が冷房要求状態であるのに対し、複数の副領域の個々が冷房要求状態あるいは暖房要求状態のいずれであることにも対応することができ、また、主領域が暖房要求状態であるのに対し、複数の副領域の個々が冷房要求状態あるいは暖房要求状態のいずれであることにも対応することができる。
【００２４】
したがって、空調負荷の変動傾向が主領域と副領域とで異なることに加えて、複数の副領域どうしの間でも空調負荷の変動傾向が互いに異なる場合に好適な一体型空調機にすることができる。
【００２５】
なお、この第２特徴構成の実施においても、主領域が暖房要求状態であるのに対し、いくつかの副領域の夫々が冷房要求状態になるといった状況が稀にしか生じないなどの場合は、それら副領域の夫々に対応する副熱交換器を副分流空気に対する加熱専用の熱交換器にしてもよい。
【００２６】
本発明の第３特徴構成は、第１又は第２特徴構成の実施に好適な実施形態を特定するものであり、その特徴は、
前記主熱交換器で前記原空気を温熱媒と熱交換させて加熱するとともに、前記副熱交換器で前記副分流空気を温熱媒と熱交換させて加熱する運転モードと、
前記主熱交換器で前記原空気を温熱媒と熱交換させて加熱するのに対し、前記副熱交換器に対する熱媒供給を遮断して前記副熱交換器の熱交換機能を停止する運転モードとの選択的な実施を可能にしてある点にある。
【００２７】
この構成によれば、主領域及び副領域がともに暖房要求状態であるが、主領域の暖房要求状態に比べて副領域の暖房要求状態が一層強い場合と、主領域の暖房要求状態と副領域の暖房要求状態とが比較的均衡している場合とがあることに対して好適な一体型空調機にすることができる。
【００２８】
即ち、主熱交換器で原空気を温熱媒と熱交換させて加熱するとともに、副熱交換器で副分流空気を温熱媒と熱交換させて加熱する運転モードでは（図１３参照）、主熱交換器２４の加熱機能により生成した温風が、主分流空気Ａａと副分流空気Ａｂとに分流されることに対して、その副分流空気Ａｂを副熱交換器２５の加熱機能によりさらに追加加熱する形態になるから、主領域の暖房要求状態に比べ副領域の暖房要求状態が一層強い場合に対して適切に対応することができる。
【００２９】
また、主熱交換器で原空気を温熱媒と熱交換させて加熱するのに対し、副熱交換器に対する熱媒供給を遮断して副熱交換器の熱交換機能を停止する運転モードでは（図１４参照）、上記の追加加熱を行わない形態になるから、主領域の暖房要求状態と副領域の暖房要求状態とが比較的均衡している場合に対して適切に対応することができる。
【００３０】
なお、副分流空気は常時、複数の副熱交換器に対して並列的に分流させた状態で通過させて、これら複数の副熱交換器を通過させた副分流空気の夫々を複数の副給気口から個別に送出させる構成（第２特徴構成）において、この第３特徴構成を実施する場合には、主熱交換器で原空気を温熱媒と熱交換させて加熱するのに対し、複数の副熱交換器の個々について、副熱交換器で副分流空気を温熱媒と熱交換させて加熱する運転モードと、副熱交換器に対する熱媒供給を遮断して副熱交換器の熱交換機能を停止する運転モードとの選択的な実施を可能にするのが望ましい。
即ち、このようにすれば、複数の副領域の個々について、副領域の暖房要求状態が主領域の暖房要求状態より一層強い場合と主領域の暖房要求状態に比較的均衡している場合との双方について適切に対応することができる。
【００３１】
本発明の第４特徴構成は、第１〜第３特徴構成のいずれかの実施に好適な実施形態を特定するものであり、その特徴は、
前記主熱交換器で前記原空気を温熱媒と熱交換させて加熱するとともに、前記副熱交換器で前記副分流空気を温熱媒と熱交換させて加熱する運転モードの実施を可能にし、
この運転モードでは、温熱媒を前記主熱交換器と前記副熱交換器とに対してその順に直列的に通過させる構成にしてある点にある。
【００３２】
この構成では、主熱交換器で原空気を温熱媒と熱交換させて加熱するとともに、副熱交換器で副分流空気を温熱媒と熱交換させて加熱する運転モードの実施を可能にすることで、前述の如く（図１３参照）、主熱交換器２４の加熱機能により生成した温風が主分流空気Ａａと副分流空気Ａｂとに分流されることに対して、その副分流空気Ａｂを副熱交換器２５の加熱機能によりさらに追加加熱する形態にし、これにより、主領域の暖房要求状態に比べ副領域の暖房要求状態が一層強い場合に対して適切に対応できるようにする。
【００３３】
そして、この運転モードでは、温熱媒を主熱交換器と副熱交換器とに対してその順に直列的に通過させるから、温熱媒の往還温度差を大きくすることができ、これにより、温熱媒が往還温度差の小さいままで熱源装置側に戻ることで生じる熱媒搬送動力の浪費を抑止することができる。また、この運転モードでは、主熱交換器において使用した温熱媒を副熱交換器において再利用する形態を採っているが、主熱交換器と副熱交換器との両者で加熱を行う場合には、副熱交換器で用いる温熱媒の温度が、主熱交換器で用いる温熱媒の温度より低くても、副分流空気を所望の温度まで昇温することが可能である。このため、温熱媒を副熱交換器において再利用する形態を採っていても、所望の温度の副分流空気を得ることができる。さらに、副熱交換器において温熱媒を再利用することで、主熱交換器と副熱交換器との両者に別個で温熱媒を通過させるのに比べ、温熱媒を有効利用でき省エネも図ることができる。このように、この構成では、熱媒搬送動力の浪費の抑止と温熱媒の有効利用とにより、高い省エネルギ効果を得ることができる。
【００３４】
本発明の第５特徴構成は、第１〜第４特徴構成のいずれかの実施に好適な実施形態を特定するものであり、その特徴は、
前記副給気口に、前記副領域の検出域内温度に基づいて前記副給気口からの前記副調整空気の送出風量を調整する副領域用の可変風量装置を設けてある点にある。
【００３５】
この構成では、副給気口から副調整空気として温風を送出することで副領域の暖房要求状態に対応する場合、及び、副給気口から副調整空気として冷風を送出することで副領域の冷房要求状状態に対応する場合のいずれにしても、副給気口からの副調整空気の送出風量が副領域用の可変風量装置により副領域の検出域内温度に基づいて調整されることにより、副領域の域内温度を所望の設定温度に安定的に保つことができる。
【００３６】
そして、この構成によれば、副領域用の可変風量装置を副給気口に設けるから、副給気口から副領域にわたらせる副給気ダクトの途中に副領域用の可変風量装置を介装するのに比べ、副領域用の可変風量装置の設置を容易にするとともに、副領域用の可変風量装置に対するメンテナンスも容易にすることができる。
【００３７】
本発明の第６特徴構成は、第１〜第５特徴構成のいずれかの実施に好適な実施形態を特定するものであり、その特徴は、
前記ハウジングのうち前記副給気口を形成するとともに前記副熱交換器を収容した副ハウジング部分は、前記主給気口を形成するとともに前記主熱交換器を収容した主ハウジング部分に対して切り離し操作が可能な状態に連結してある点にある。
【００３８】
この構成によれば、空調対象域において副領域の域数に変化があった場合などに、主ハウジング部分に対して連結されている現行の副ハウジング部分を、副給気口の形成数や副熱交換器の収容数などが異なる別仕様の副ハウジング部分と交換して対応するといったことを容易に行うことができる。
【図面の簡単な説明】
【００３９】
【図１】一体型空調機の全体構成を示す斜視図
【図２】第１運転モードにおける温水や冷水の流れ状態を示す斜視図
【図３】第２運転モードにおける温水や冷水の流れ状態を示す斜視図
【図４】第３運転モードにおける温水や冷水の流れ状態を示す斜視図
【図５】第４運転モードにおける温水や冷水の流れ状態を示す斜視図
【図６】第５運転モードにおける温水や冷水の流れ状態を示す斜視図
【図７】第６運転モードにおける温水や冷水の流れ状態を示す斜視図
【図８】第７運転モードにおける温水や冷水の流れ状態を示す斜視図
【図９】別仕様の副ハウジング部分を連結した状態を示す斜視図
【図１０】別実施形態を示す運転モードＡの説明図
【図１１】別実施形態を示す運転モードＢの説明図
【図１２】別実施形態を示す運転モードＣの説明図
【図１３】別実施形態を示す運転モードＤの説明図
【図１４】別実施形態を示す運転モードＥの説明図
【図１５】別実施形態を示す運転モードＦの説明図
【図１６】従来の一体型空調機における冷房・冷房運転状態の説明図
【図１７】従来の一体型空調機における冷房・暖房運転状態の説明図
【図１８】従来の一体型空調機における暖房・暖房運転状態の説明図
【発明を実施するための形態】
【００４０】
図１は、空調対象域におけるインテリア領域（主領域の一例）と展望方位が互いに異なる複数のペリメータ領域（複数の副領域の一例）とを同時に空調する一体型の空調機１を示す。
【００４１】
この空調機１は箱型のハウジング２を備え、このハウジング２の天板部２ａには、還気口３、外気口４、主給気口５、並びに、第１及び第２の副給気口６，７を設けてある。
【００４２】
還気口３には還気ダクトを接続し、この還気ダクトを通じて空調対象域から戻る還気空気ＲＡを還気口３からハウジング２内に導入する。
【００４３】
外気口４には外気ダクトを接続し、この外気ダクトを通じて屋外から取り入れた外気ＯＡを外気口４からハウジング２内に導入する。
【００４４】
主給気口５には主給気ダクトを接続し、主給気口５から送出される主調整空気ＳＡを主給気ダクトを通じてインテリア領域に供給する。
【００４５】
第１副給気口６には第１副給気ダクトを接続し、第１副給気口６から送出される第１副調整空気ＳＡ１を第１副給気ダクトを通じて第１ペリメータ領域に供給する。
【００４６】
同様に第２副給気口７には第２副給気ダクトを接続し、第２副給気口７から送出される第２副調整空気ＳＡ２を第２副給気ダクトを通じて第２ペリメータ領域に供給する。
【００４７】
還気口３から導入した還気空気ＲＡはハウジング２内の混合室８に流入し、また、外気口４から導入した外気ＯＡは、ハウジング２内の外気室９及び渡り開口１０を通じて混合室８に流入する。
【００４８】
混合室８に流入した還気空気ＲＡと外気ＯＡとは合流して混合され、この空調機１では、この混合室８で生成される還気空気ＲＡと外気ＯＡとの混合空気を調整対象の原空気Ａとする。
【００４９】
原空気Ａは、ハウジング２内における吸込口１１、送風機１２、渡り風路１３を通じてハウジング２内のフィルタ室１４に流入し、このフィルタ室１４において原空気Ａは一種ないし数種のフィルタ１４ａ，１４ｂを通過する。
【００５０】
そして、フィルタ１４ａ，１４ｂを通過することで除塵された原空気Ａは、主コイル室１５を通じハウジング２内の給気前室１６に流入する。
【００５１】
給気前室１６の上部には主給気室１７を形成してあり、給気前室１６と主給気室１７との間の主分流口１８を通じて給気前室１６から主給気室１７に導入される空気が主調整空気ＳＡとして主給気口５から送出される。
【００５２】
一方、ハウジング２内には、主コイル室１５とは反対側で給気前室１６に隣接させて第１及び第２の副給気室１９，２０を並列配置で形成してあり、給気前室１６と第１副給気室１９との間の第１副分流口２１を通じて給気前室１６から第１副給気室１９に導入される空気が第１副給気口６から送出される。
【００５３】
同様に、給気前室１６と第２副給気室２０との間の第２副分流口２２を通じて給気前室１６から第２副給気室２０に導入される空気が第２副給気口７から送出される。
【００５４】
換言すれば、給気前室１６は、主給気口５と副給気口６，７とに対する分流室として機能し、主コイル室１５を経て給気前室１６に導入された空気は常時、主調整空気ＳＡとして主給気室１７を通じ主給気口５から送出させる主分流空気Ａａと、副調整空気ＳＡ１，ＳＡ２として副給気室１９，２０を通じ副給気口６，７から送出させる副分流空気Ａｂとに分流される。
【００５５】
また、この副分流空気Ａｂは常時、第１及び第２副給気室１９，２０に対して並列的に分流された状態で通過し、第１副給気室１９に分流された第１副分流空気Ａｂ１が第１副調整空気ＳＡ１として第１副給気口６から送出され、第２副給気室２０に分流された第２副分流空気Ａｂ２が第２副調整空気ＳＡ２として第２副給気口７から送出される。
【００５６】
ハウジング２内には、フィルタ１４ａ，１４ｂを通過した原空気Ａを加熱又は冷却することで、主給気口５から送出する主調整空気ＳＡと、第１及び第２副給気口６，７の夫々から送出する第１及び第２副調整空気ＳＡ１，ＳＡ２とを生成する調温用熱交換器２３を装備してあり、具体的には、この調温用熱交換器２３として、主熱交換器２４と第１及び第２の副熱交換器２５，２６とを設けてある。
【００５７】
主熱交換器２４は主コイル室１５に装備してあり、また、第１副熱交換器２５は第１副給気室１９に装備し、第２副熱交換器２６は第２副給気室２０に装備してある。
【００５８】
つまり、この空調機１では、フィルタ１４ａ，１４ｂを通過した原空気Ａを先ず主コイル室１５において主熱交換器２４により加熱又は冷却し、この主熱交換器２４で加熱又は冷却した空気を、第１及び第２副熱交換器２５，２６のいずれにも通過させずに主調整空気ＳＡとして主給気口５から送出させる主分流空気Ａａと、第１副熱交換器２５を通過させた上で第１副調整空気ＳＡ１として第１副給気口６から送出させる第１副分流空気Ａｂ１と、第２副熱交換器２６を通過させた上で第２副調整空気ＳＡ２として第２副給気口７から送出させる第２副分流空気Ａｂ２と、の３流に常時分流する。
【００５９】
さらに具体的には、主コイル室１５には、主熱交換器２４として、原空気流れ方向に並べて配置した主温水コイル２７と主冷水コイル２８とのコイル対を装備してあり、また、第１副給気室１９には、第１副熱交換器２５として第１副温水コイル２９を配置し、第２副給気室２０には、第２副熱交換器２６として第２副温水コイル３０を配置してある。
【００６０】
なお、第１副熱交換器２５としては、第１副分流空気Ａｂ１の流れ方向に並べて配置する第１副温水コイル２９と第１副冷水コイルとのコイル対を第１副給気室１９に装備し、また同様に、第２副熱交換器２６としては、第２副分流空気Ａｂ２の流れ方向に並べて配置する第２副温水コイル３０と第２副冷水コイルとのコイル対を第２副給気室２０に装備することも考えられる。
【００６１】
しかし、インテリア領域が冷房要求状態にあって第１ペリメータ領域や第２ペリメータ領域も冷房要求状態にある状況では、主熱交換器２４としての主冷水コイル２８で原空気Ａを冷水と熱交換させて冷風を生成し、この生成冷風の一部を主調整空気ＳＡとして主給気口５から送出するとともに、その生成冷風の他部を第１副調整空気ＳＡ１や第２副調整空気ＳＡ２として第１副給気口６や第２副給気口７から送出させることで対応することができる。
【００６２】
また、インテリア領域が暖房要求状態であるのに対して第１ペリメータ領域や第２ペリメータ領域が冷房要求状態になるといった状況は、中間期などで稀にしか生じず、しかも、中間期で比較的低温の外気ＯＡを原空気Ａの一部として導入していることから、第１ペリメータ領域や第２ペリメータ領域の冷房要求状態は冷水による空気冷却を要するほどのものでないことが多い。
【００６３】
この点を考慮して、本例の空調機１では、副冷水コイルの設置を省略し、第１副熱交換器２５としては第１副温水コイル２９のみを第１副給気室１９に装備し、同様に、第２副熱交換器２６としては第２副温水コイル３０のみを第２副給気室２０に装備してある。
【００６４】
主温水コイル２７と第１及び第２副温水コイル２９，３０とに接続する温水配管については、図２に示すように、温水供給管３１を主温水コイル２７の温水入口に接続し、温水返り管３２を主温水コイル２７の温水出口に接続してある。
【００６５】
温水返り管３２の途中で主温水コイル２７の近傍部分からは副温水供給管３３を分岐し、この副温水供給管３３の他端部は２管３３ａ，３３ｂに分岐して、それら分岐２管３３ａ、３３ｂの一方を第１副温水コイル２９の温水入口に接続し、他方を第２副温水コイル３０の温水入口に接続してある。
【００６６】
温水返り管３２の途中で副温水供給管３３の分岐部よりも下流側の部分からは副温水返り管３４を分岐し、この副温水返り管３４の他端部は２管３４ａ，３４ｂに分岐して、それら分岐２管３４ａ，３４ｂの一方を温水コイル２９の温水出口に接続し、他方を第２副温水コイル３０の温水出口に接続してある。
【００６７】
また、温水供給管３１の途中からは温水渡り管３５を分岐し、この温水渡り管３５の他端は副温水供給管３３の途中に接続してある。
【００６８】
そして、温水返り管３４における副温水供給管３３の分岐部と副温水返り管３４の接続部との間には第１切換弁Ｖ１としての開閉弁を介装し、温水供給管３１における温水渡り管３５の分岐部には第２切換弁Ｖ２としての三方弁を介装し、副温水供給管３３における温水返り管３２からの分岐部と温水渡り管３５の接続部との間には第３切換弁Ｖ３としての開閉弁を介装してある。
【００６９】
また、第１副温水コイル２９の温水出口に接続する副温水返り管３４の分岐管３４ａには第４切換弁Ｖ４としての開閉弁を介装し、同様に、第２副温水コイル３０の温水出口に接続する副温水返り管３４の分岐管３４ｂには第５切換弁Ｖ５としての開閉弁を介装してある。
【００７０】
一方、主冷水コイル２８の冷水入口には冷水供給管３６を接続し、主冷水コイル２８の冷水出口には冷水返り管３７を接続してあり、冷水供給管３６には、主冷水コイル２８に対する冷水ｃの供給を断続する第６切換弁Ｖ６としての開閉弁を介装してある。
【００７１】
つまり、この空調機１は、上記した温水配管系における第１〜第５切換弁Ｖ１〜Ｖ５、及び、冷水配管系における第６切換弁Ｖ６の切り換え操作により、インテリア領域、第１ペリメータ領域、第２ペリメータ領域夫々の冷暖房要求状態の変化に応じて次の７つ運転モードを選択的に実施することができる。
【００７２】
・第１運転モード
インテリア領域、第１ペリメータ領域、第２ペリメータ領域の３領域がいずれも冷房要求状態にあるときは、同図２に示す如く、各温水コイル２７，２９，３０に対する温水の供給を遮断した状態で主冷水コイル２８に冷水ｃを供給する。
【００７３】
即ち、この第１運転モードでは、原空気Ａを主冷水コイル２８において冷水ｃと熱交換させて冷却することで冷風を生成し、この生成冷風のうち主分流空気Ａａとして給気前室１７から主給気室１７に流入する分流冷風を、主調整空気ＳＡとして主給気口５から冷房要求状態のインテリア領域に供給する。
【００７４】
また、主冷水コイル２８での生成冷風のうち、第１副分流空気Ａｂ１として給気前室１７から第１副給気室１９に流入する分流冷風を、温水遮断により熱交換機能を停止させた第１副温水コイル２９に通過させて分流冷風のままで第１副調整空気ＳＡ１として第１副給気口６から冷房要求状態の第１ペリメータ領域に供給する。
【００７５】
さらに、主冷水コイル２８での生成冷風のうち、第２副分流空気Ａｂ２として給気前室１７から第２副給気室２０に流入する分流冷風を、同じく温水遮断により熱交換機能を停止させた第２副温水コイル３０に通過させて分流冷風のままで第２副調整空気ＳＡ２として第２副給気口７から冷房要求状態の第２ペリメータに供給する。
【００７６】
・第２運転モード
インテリア領域及び第１ペリメータ領域が冷房要求状態であるのに対して第２ペリメータ領域が暖房要求状態にあるときには、図３に示す如く、主温水コイル２７及び第１副温水コイル２９の夫々に対する温水供給を遮断した状態で、主冷水コイル２８に冷水ｃを供給するとともに第２副温水コイル３０に温水ｗを供給する。
【００７７】
即ち、この第２運転モードでは、原空気Ａを主冷水コイル２８において冷水ｃと熱交換させて冷却することで冷風を生成し、この生成冷風のうち主分流空気Ａａとして給気前室１７から主給気室１７に流入する分流冷風を、主調整空気ＳＡとして主給気口５から冷房要求状態のインテリア領域に供給する。
【００７８】
また、主冷水コイル２８での生成冷風のうち、第１副分流空気Ａｂ１として給気前室１７から第１副給気室１９に流入する分流冷風を、温水遮断により熱交換機能を停止させた第１副温水コイル２９に通過させて分流冷風のままで第１副調整空気ＳＡ１として第１副給気口６から冷房要求状態の第１ペリメータに供給する。
【００７９】
これに対し、主冷水コイル２８での生成冷風のうち、第２副分流空気Ａｂ２として第２給気前室１７から第２副給気室２０に流入する分流冷風を第２副温水コイル３０において温水ｗと熱交換させて加熱（再熱）することで温風にし、この温風を第２副調整空気ＳＡ２として第２副給気口７から暖房要求状態の第２ペリメータに供給する。
【００８０】
・第３運転モード
インテリア領域及び第２ペリメータ領域が冷房要求状態であるのに対して第１ペリメータ領域が暖房要求状態にあるときには、図４に示す如く、主温水コイル２７及び第２副温水コイル３０の夫々に対する温水供給を遮断した状態で、主冷水コイル２８に冷水ｃを供給するとともに第１副温水コイル２９に温水ｗを供給する。
【００８１】
即ち、この第３運転モードでは、原空気Ａを主冷水コイル２８において冷水ｃと熱交換させて冷却することで冷風を生成し、この生成冷風のうち主分流空気Ａａとして給気前室１７から主給気室１７に流入する分流冷風を、主調整空気ＳＡとして主給気口５から冷房要求状態のインテリア領域に供給する。
【００８２】
これに対し、主冷水コイル２８での生成冷風のうち、第１副分流空気Ａｂ１として給気前室１７から第１副給気室１９に流入する分流冷風を第１副温水コイル２９において温水ｗと熱交換させて加熱（再熱）することで温風にし、この温風を第１副調整空気ＳＡ１として第１副給気口６から暖房要求状態の第１ペリメータに供給する。
【００８３】
また、主冷水コイル２８での生成冷風のうち、第２副分流空気Ａｂ２として給気前室１７から第２副給気室２０に流入する分流冷風を、温水遮断により熱交換機能を停止させた第２副温水コイル３０に通過させて分流冷風のままで第２副調整空気ＳＡ２として第２副給気口７から冷房要求状態の第２ペリメータに供給する。
【００８４】
・第４運転モード
インテリア領域、第１ペリメータ領域、第２ペリメータ領域の３領域がいずれも暖房要求状態にあって、第１及び第２ペリメータ領域の暖房要求状態がいずれも主領域の暖房要求状態と比較的均衡しているときには、図５に示す如く、主冷水コイル２８に対する冷水供給を遮断するとともに、第１副温水コイル２９及び第２副温水コイル３０の夫々に対する温水供給を遮断した状態で、主温水コイル２７に温水ｗを供給する。
【００８５】
即ち、この第４運転モードでは、原空気Ａを主温水コイル２７において温水ｗと熱交換させて加熱することで温風を生成し、この生成温風のうち主分流空気Ａａとして給気前室１７から主給気室１７に流入する分流温風を、主調整空気ＳＡとして主給気口５から暖房要求状態のインテリア領域に供給する。
【００８６】
また、主温水コイル２７での生成温風のうち、第１副分流空気Ａｂ１として給気前室１７から第１副給気室１９に流入する分流温風を、温水遮断により熱交換機能を停止させた第１副温水コイル２９に通過させて分流温風のままで第１副調整空気ＳＡ１として第１副給気口６から暖房要求状態の第１ペリメータに供給する。
【００８７】
さらに、主温水コイル２７での生成温風のうち、第２副分流空気Ａｂ２として給気前室１７から第２副給気室２０に流入する分流温風を、同じく温水遮断により熱交換機能を停止させた第２副温水コイル３０に通過させて分流温風のままで第２副調整空気ＳＡ２として第２副給気口７から暖房要求状態の第２ペリメータに供給する。
【００８８】
・第５運転モード
インテリア領域、第１ペリメータ領域、第２ペリメータ領域の３領域がいずれも暖房要求状態にあるものの、第２ペリメータ領域の暖房要求状態が主領域の暖房要求状態に比べ一層強いときには、図６に示す如く、主冷水コイル２８に対する冷水供給を遮断するとともに、第１副温水コイル２９に対する温水供給を遮断した状態で、主温水コイル２７と第２副温水コイル３０とに対してその順に温水ｗを直列的に供給する。
【００８９】
即ち、この第５運転モードでは、原空気Ａを主温水コイル２７において温水ｗと熱交換させて加熱することで温風を生成し、この生成温風のうち主分流空気Ａａとして給気前室１７から主給気室１７に流入する分流温風を、主調整空気ＳＡとして主給気口５から暖房要求状態のインテリア領域に供給する。
【００９０】
また、主温水コイル２７での生成温風のうち、第１副分流空気Ａｂ１として給気前室１７から第１副給気室１９に流入する分流温風を、温水遮断により熱交換機能を停止させた第１副温水コイル２９に通過させて分流温風のままで第１副調整空気ＳＡ１として第１副給気口６から暖房要求状態の第１ペリメータ領域に供給する。
【００９１】
これに対し、主温水コイル２７での生成温風のうち、第２副分流空気Ａｂ２として給気前室１７から第２副給気室２０に流入する分流温風を第２副温水コイル３０において温水ｗと熱交換させて更に加熱することで一層高温の温風にし、この高温風を第２副調整空気ＳＡ２として第２副給気口７から暖房要求状態が強い第２ペリメータ領域に供給する。
【００９２】
・第６運転モード
インテリア領域、第１ペリメータ領域、第２ペリメータ領域の３領域がいずれも暖房要求状態にあるものの、第１ペリメータ領域の暖房要求状態が主領域の暖房要求状態に比べ一層強いときには、図７に示す如く、主冷水コイル２８に対する冷水供給を遮断するとともに、第２副温水コイル３０に対する温水供給を遮断した状態で、主温水コイル２７と第１副温水コイル２９とに対してその順に温水ｗを直列的に供給する。
【００９３】
即ち、この第６運転モードでは、原空気Ａを主温水コイル２７において温水ｗと熱交換させて加熱することで温風を生成し、この生成温風のうち主分流空気Ａａとして給気前室１７から主給気室１７に流入する分流温風を、主調整空気ＳＡとして主給気口５から暖房要求状態のインテリア領域に供給する。
【００９４】
これに対し、主温水コイル２７での生成温風のうち、第１副分流空気Ａｂ１として給気前室１７から第１副給気室１９に流入する分流温風を第１副温水コイル２９において温水ｗと熱交換させて更に加熱することで一層高温の温風にし、この高温風を第１副調整空気ＳＡ１として第１副給気口６から暖房要求状態が強い第１ペリメータ領域に供給する。
【００９５】
また、主温水コイル２７での生成温風のうち、第２副分流空気Ａｂ２として給気前室１７から第２副給気室２０に流入する分流温風を温水遮断により熱交換機能を停止させた第２副温水コイル３０に通過させて分流温風のままで第２副調整空気ＳＡ２として第２副給気口７から暖房要求状態の第２ペリメータ領域に供給する。
【００９６】
・第７運転モード
インテリア領域、第１ペリメータ領域、第２ペリメータ領域の３領域がいずれも暖房要求状態にあるものの、第１及び第２ペリメータ領域の暖房要求状態がいずれも主領域の暖房要求状態に比べ一層強いときには、図８に示す如く、主冷水コイル２８に対する冷水供給を遮断した状態で、主温水コイル２７に温水ｗを供給するとともに、主温水コイル２７の温水出口から送出される温水ｗを第１及び第２副温水コイル２９，３０に対して並列的に供給する。
【００９７】
即ち、この第７運転モードでは、原空気Ａを主温水コイル２７において温水ｗと熱交換させて加熱することで温風を生成し、この生成温風のうち主分流空気Ａａとして給気前室１７から主給気室１７に流入する分流温風を、主調整空気ＳＡとして主給気口５から暖房要求状態のインテリア領域に供給する。
【００９８】
これに対し、主温水コイル２７での生成温風のうち、第１副分流空気Ａｂ１として給気前室１７から第１副給気室１９に流入する分流温風を第１副温水コイル２９において温水ｗと熱交換させて更に加熱することで一層高温の温風にし、この高温風を第１副調整空気ＳＡ１として第１副給気口６から暖房要求状態が強いる第１ペリメータ領域に供給する。
【００９９】
また同様に、主温水コイル２７での生成温風のうち、第２副分流空気Ａｂ２として給気前室１７から第２副給気室２０に流入する分流温風を第２副温水コイル３０において温水ｗと熱交換させて更に加熱することで一層高温の温風にし、この高温風を第２副調整空気ＳＡ２として第２副給気口７から暖房要求状態が強い第２ペリメータ領域に供給する。
【０１００】
なお、副温水供給管３３，副温水返り管３４、温水渡り管３５などはハウジング２の内部に組み込み装備してあり、ハウジング２の壁面部分には、温水供給管３１、温水返り管３２、冷水供給管３６、冷水返り管３７夫々の接続口部分だけを配置してある。
【０１０１】
ハウジング２における第１副給気口６には、第１副領域用の可変風量装置３８を装備してあり、この第１副領域用の可変風量装置３８は、第１ペリメータ領域が暖房要求状態ないし冷房要求状態のいずれの状態にあるときにも、温度センサにより検出される第１ペリメータ領域の域内温度に基づいて、第１ペリメータ領域の域内温度を設定温度に保つように、第１副給気口６からの第１副調整空気ＳＡ１の送出風量を自動調整する。
【０１０２】
また同様に、ハウジング２における第２副給気口７には、第２副領域用の可変風量装置３９を装備してあり、この第２副領域用の可変風量装置３９は、第２ペリメータ領域が暖房要求状態ないし冷房要求状態のいずれの状態にあるときにも、温度センサにより検出される第２ペリメータ領域の域内温度に基づいて、第２ペリメータ領域の域内温度を設定温度に保つように、第２副給気口７からの第２副調整空気ＳＡ２の送出風量を自動調整する。
【０１０３】
なお、インテリア領域は複数のサブ領域に分かれる場合が多いことから、それらサブ領域ごとの可変風量装置を、主給気ダクトにおけるサブ領域用分岐ダクトの夫々に介装する。
【０１０４】
ハウジング２における外気口４には、外気用の可変風量装置４０を装備してあり、この外気用の可変風量装置４０は、温度センサにより検出される外気温度に応じて外気口４からの外気ＯＡの導入風量を自動調整する。
【０１０５】
ハウジング２における還気口３には、還気用のモータダンパ４１を装備してあり、外気用可変風量装置４０による外気導入風量の調整に応じて、この還気用のモータダンパ４１により還気口３からの還気空気ＲＡの導入風量を自動調整する。
【０１０６】
主コイル室１５には、空気流れ方向において主温水コイル２７と主冷水コイル２８とのコイル対の下流側に加湿器４２を装備してあり、主温水コイル２７で加熱した原空気は、この加湿器４２により設定湿度に加湿する。
【０１０７】
ハウジング２の内部には、電源盤（図示を省略）とともに制御盤（図示を省略）を装備してあり、この制御盤には、各切換弁Ｖ１〜Ｖ６の切り換え操作や還気用モータダンパ４１の開度調整あるいは加湿器４２の発停操作などを実行する各種の制御機器を内装してある。
【０１０８】
ハウジング２内における外気室９、混合室８、主給気室１７は、室壁に消音材を貼設した消音仕様にしてあり、これにより、空調機１からの発生騒音を軽減する。
【０１０９】
また、ハウジング２のうち第１及び第２副給気口６，７を形成するとともに第１及び第２副熱交換器２５，２６を収容した副ハウジング部分２Ｂは、還気口３、外気口４，主給気口５を形成するとともに送風機１２や主熱交換器２４を収容した主ハウジング部分２Ａに対して切り離し操作が可能状態で連結してある。
【０１１０】
つまり、空調対象域の改造などで空調を要するペリメータ領域が増加した場合には、現行の副ハウジング部分２Ｂを主ハウジング部分２Ａから切り離して、別仕様の副ハウジング部分２Ｂ′と交換することで容易に対応できるようにしてある。
【０１１１】
図９は副ハウジング部分２Ｂを別仕様の副ハウジング部分２Ｂ′と交換した状態を示し、この別仕様の副ハウジング部分２Ｂ′には、４つの副給気口６ａ〜６ｄを形成するとともに、その内部に４つ副給気室１９ａ〜１９ｄを形成してあり、これら第１〜第４副給気室１９ａ〜１９ｄには、第１〜第４副熱交換器２５ａ〜２５ｄを収容してある。
【０１１２】
また、４つの副給気口６ａ〜６ｄには夫々、副領域用の可変風量装置３８ａ〜３８ｄを装備してある。
【０１１３】
つまり、この別仕様の副ハウジング部分２Ｂ′を主ハウジング部分２Ａに取り付けた空調機１では、主熱交換器２４で加熱又は冷却した空気を、主調整空気ＳＡとして主給気口５から送出させる主分流空気Ａａと、第１副熱交換器２５ａを通過させた上で第１副調整空気ＳＡ１として第１副給気口６ａから送出させる第１副分流空気Ａｂ１と、第２副熱交換器２５ｂを通過させた上で第２副調整空気ＳＡ２として第２副給気口６ｂから送出させる第２副分流空気Ａｂ２と、第３副熱交換器２５ｃを通過させた上で第３副調整空気ＳＡ３として第３副給気口６ｃから送出させる第３副分流空気Ａｂ３と、第４副熱交換器２５ｄを通過させた上で第４副調整空気ＳＡ４として第４副給気口６ｄから送出させる第４副分流空気Ａｂ４との計５流に常時分流させる。
【０１１４】
〔別実施形態〕
次に本発明の別実施形態を列記する。
【０１１５】
前述の実施形態では、還気空気ＲＡと外気ＯＡとの混合空気を原空気Ａとする例を示したが、原空気Ａは還気空気ＲＡあるいは外気ＯＡであってもよい。
【０１１６】
外気ＯＡ又は還気空気ＲＡと外気ＯＡとの混合空気を原空気Ａとする場合、主熱交換器２４での加熱又は冷却に先立ち導入外気ＯＡを予備的に加熱又は冷却する外気処理用の熱交換器をハウジング２内に装備してもよい。
【０１１７】
前述の実施形態では、第１及び第２副給気口６，７の夫々に副領域用の可変風量装置３８，３９を装備し、また、外気口４に外気用の可変風量装置４０を装備したが、主給気口５にも主領域用の可変風量装置を装備するようにしてもよい。
【０１１８】
前述の実施形態では、主熱交換器２４で原空気Ａを温水ｗなどの温熱媒と熱交換させて加熱するとともに、副熱交換器２５，２６で副分流空気Ａｂ（Ａｂ１，Ａｂ２）を温熱媒と熱交換させて更に加熱する運転モードを実施するのに、温熱媒を主熱交換器２４と副熱交換器２５，２６とに対してその順に直列的に通過させるようにしたが、場合によっては、この運転モードにおいて、温水ｗなどの温熱媒を主熱交換器２４と副熱交換器２５，２６とに対して並列的に通過させるようにしてもよい。
【０１１９】
また、主熱交換器２４で原空気Ａを冷水ｃなどの冷熱媒と熱交換させて冷却するとともに、副熱交換器２５，２６で副分流空気Ａｂ（Ａｂ１，Ａｂ２）を冷熱媒と熱交換させて更に冷却する運転モードの実施が可能な構成にしてよく、その場合も、冷水ｃなどの冷熱媒を主熱交換器２４と副熱交換器２５，２６とに対してその順に直列的に通過させる構成あるいは冷水ｃなどの冷熱媒を主熱交換器２４と副熱交換器２５，２６とに対して並列的に通過させる構成のいずれを採用してもよい。
【０１２０】
前述の実施形態では、主熱交換器２４として主温水コイル２７と主冷水コイル２８とのコイル対を用いる例を示したが、これに代え、主熱交換器２４として、温水供給により主温水コイルとして機能させ、また、冷水供給により主冷水機能させる冷温水コイルを用いるようにしてもよい。
【０１２１】
また、冷媒凝縮器として機能させることで原空気Ａを加熱し、かつ、冷媒蒸発器として機能させることで原空気Ａを冷却する直膨型熱交換器を主熱交換器２４として用いるようにしてよい。
【０１２２】
前述の実施形態では、副熱交換器２５，２６として温水コイル２９，３０を用いる例を示したが、これに代え、副熱交換器２５、２６にも、温水コイルと冷水コイルとのコイル対、冷温水コイル、直膨型熱交換器などを用いるようにしてもよく、場合によっては、副熱交換器２５，２６として電熱ヒータを用いるようにしてもよい。
【０１２３】
図１０に示すように、主熱交換器２４として冷温水コイル（又は、温水コイルと冷水コイルとのコイル対）を設けるのに対し、副熱交換器２５としても冷温水コイル（又は温水コイルと冷水コイルとのコイル対）を設け、この構成において主熱交換器２４と副熱交換器２５との夫々に対する冷温水供給の切り換えにより、主領域及び副領域夫々の冷暖房要求状態の変化に応じて次の運転モードＡ〜Ｆを選択的に実施するようにしてもよい。
【０１２４】
・運転モードＡ，Ｂ
主領域及び副領域がいずれも冷房要求状態にあるときには、図１０又は図１１に示すように、原空気Ａに対し主熱交換器２４を冷却機能させるとともに、副分流空気Ａｂに対し副熱交換器２５を冷却機能させるか、あるいは、副熱交換器２５の熱交換機能を停止させ、これにより、主給気口５及び副給気口６の双方から冷風を送出させる。
【０１２５】
・運転モードＣ
主領域が冷房要求状態にあり副領域が暖房要求状態にあるときには、図１２に示すように、原空気Ａの対し主熱交換器２４を冷却機能させるのに対して、副分流空気Ａｂに対し副熱交換器２５を加熱機能させ、これにより、主給気口５から冷風を送出させるのに伴い副給気口６から温風を送出させる。
【０１２６】
・運転モードＤ，Ｅ
主領域及び副領域がいずれも暖房要求状態にあるときには、図１３又は図１４に示すように、原空気Ａに対し主熱交換器２４を加熱機能させるとともに、副分流空気Ａｂに対し副熱交換器２５を加熱機能させるか、あるいは、副熱交換器２５の熱交換機能を停止させ、これにより、主給気口５及び副給気口６の双方から温風を送出させる。
【０１２７】
・運転モードＦ
主領域が暖房要求状態にあり副領域が冷房要求状態にあるときには、図１５に示すように、原空気Ａの対し主熱交換器２４を加熱機能させるのに対して、副分流空気Ａｂに対し副熱交換器２５を冷却機能させ、これにより、主給気口５から温風を送出させるのに伴い副給気口６から冷風を送出させる。
【０１２８】
前述の実施形態では、インテリア領域を主領域とし、ペリメータ領域を副領域とする例を示したが、主給気口から主調整空気を供給する主領域は、インテリア領域に限らず、建築物中のいずれの箇所にあるどのような用途の領域であってもよい。
【０１２９】
また、副給気口から副調整空気を供給する副領域も、ペリメータ領域に限らず、主領域と区別された領域であれば建築物中のいずれの箇所にあるどのような用途の領域であってもよい。
【産業上の利用可能性】
【０１３０】
本発明による一体型空調機は、オフィスビルや工場など各種分野の建築施設において種々の目的の空調を実施するのに利用することができる。
【符号の説明】
【０１３１】
ＳＡ              主調整空気
５                主給気口
ＳＡ１，ＳＡ２    副調整空気
６，７            副給気口
２                ハウジング
ＲＡ              還気空気
ＯＡ              外気
Ａ                原空気
２３              調温用熱交換器
２４              主熱交換器
２５，２６        副熱交換器
Ａａ              主分流空気
Ａｂ１            副分流空気
Ａｂ２            副分流空気
ｗ                温熱媒
３８，３９        副領域用の可変風量装置
２Ａ              主ハウジング部分
２Ｂ              副ハウジング部分
【図１】
0006537448.tif 000002
【図２】
0006537448.tif 000003
【図３】
0006537448.tif 000004
【図４】
0006537448.tif 000005
【図５】
0006537448.tif 000006
【図６】
0006537448.tif 000007
【図７】
0006537448.tif 000008
【図８】
0006537448.tif 000009
【図９】
0006537448.tif 000010
【図１０】
0006537448.tif 000011
【図１１】
0006537448.tif 000012
【図１２】
0006537448.tif 000013
【図１３】
0006537448.tif 000014
【図１４】
0006537448.tif 000015
【図１５】
0006537448.tif 000016
【図１６】
0006537448.tif 000017
【図１７】
0006537448.tif 000018
【図１８】
0006537448.tif 000019